(57)【要約】【課題】レーザ光源の切換え構成を簡素化し、装置の小型化が図れ、簡単な構造でレーザ光源の切換えが図れるディスク装置を提供する。【解決手段】基台１上に配置しターンテーブル２ａを回転駆動するディスクモータ２と、ターンテーブル２ａのディスク載置面に対し略平行に配置した回転軸１１周りの回転により、複数の対物レンズ５ａ、５ｂの光軸のいずれか１つの光軸がターンテーブル２ａのディスク載置面に対し略直交するピックアップ３と、基台１に設けられ、ピックアップ３を回転軸１１周りに回転させ、ターンテーブル２ａのディスク載置面と、複数の対物レンズ５ａ、５ｂのいずれか１つとが対向する位置に切り換える切換手段を備えている。【選択図】　図１
2004133971.tif 000002
【特許請求の範囲】
【請求項１】
基台上に配置しターンテーブルを回転駆動するディスクモータと、
前記ターンテーブルのディスク載置面に対し略平行に配置した回転軸周りの回転により、複数の対物レンズの光軸のいずれか１つの光軸が前記ターンテーブルの前記ディスク載置面に対し略直交するピックアップと、
前記基台に設けられ、前記ピックアップを前記回転軸周りに回転させ、前記ターンテーブルの前記ディスク載置面と、前記複数の対物レンズのいずれか１つとが対向する位置に切り換える切換手段を備えたことを特徴とするディスク装置。
【請求項２】
前記切換手段は、前記回転軸に設けた第１のギヤと、前記基台に設けた第２のギヤとを備え、
前記ピックアップと前記ターンテーブルとの間の相対位置を変化する移動手段による前記ピックアップの移動に連動して、前記第１のギヤと前記第２のギヤとがかみ合い、前記回転軸周りに前記ピックアップが回転する請求項１に記載のディスク装置。
【請求項３】
前記移動手段は、前記基台上に固定した案内軸を含み、
前記回転軸の延出方向の前記ピックアップの側面に突出して備える突出部が、前記案内軸に当接して、前記ピックアップの回転が規制される請求項２に記載のディスク装置。
【請求項４】
前記ピックアップの回転動作停止時に、前記回転軸の延出方向の前記ピックアップ側面に突出して備える第２の突出部が、前記案内軸のうち前記ピックアップと対向する部分に当接する請求項３に記載のディスク装置。
【請求項５】
前記複数の対物レンズのうち、いずれかの対物レンズが前記ターンテーブルに載置したディスクと対向しているときにおいて、前記移動手段による前記ピックアップ移動方向のいずれか一方の側面に、前記ターンテーブルの前記ディスク載置面に対し略平行に帯状の配線コードが接続されている請求項２から４のいずれかに記載のディスク装置。
【請求項６】
前記切り換えの際の前記ピックアップの回転始動方向は、前記ピックアップと前記帯状の配線コードとの接続部が、前記ターンテーブルのディスク載置面から遠ざかる方向である請求項５に記載のディスク装置。
【請求項７】
前記ピックアップが前記移動手段で前記ディスクモータ側に移動する際に前記回転軸周りに前記ピックアップが回転する状態において、前記ピックアップの側面のうち、前記回転軸に関して前記ディスクモータと反対側の側面に、前記帯状の配線コードが接続されている請求項５または６に記載のディスク装置。
【請求項８】
前記基台のうち、前記案内軸の軸方向において、前記ピックアップに対して前記ディスクモータの側、及び前記ディスクモータと反対の側の少なくともいずれかの側に、前記帯状の配線コードを収納する収納部を備えた請求項５から７のいずれかに記載のディスク装置。
【発明の詳細な説明】
【０００１】
【発明の属する技術分野】
本発明は、映像用、音楽用、コンピュータ・データ用等の情報記録媒体であるディスクを用いて情報の記録再生を行うディスク装置に関する。
【０００２】
【従来の技術】
ディスク装置は、対物レンズで小さく絞り込んだレーザ光をディスクに照射して、ディスクの記録再生を行うものである。ディスクの記録密度は、光源波長に左右され、波長の短い光源を用いるほど、ディスクの記録密度を上げることができる。
【０００３】
ＣＤやＣＤ−Ｒには、波長８００ｎｍ前後の赤外に近い赤色レーザ光源が用いられ、ＤＶＤ−ＲＯＭやＤＶＤ−ＲＡＭのような大容量の光ディスクに対しては、波長６３０ｎｍ〜６７０ｎｍ程度の赤色レーザ光源が用いられる。さらに最近では、より波長の短い青色レーザ光源に対応した高密度光ディスクの開発も進んでおり、これに対応したディスク装置の開発も進んでいる。
【０００４】
この場合、１台のディスク装置で、用いるレーザ光源の波長に応じて記録容量が異なる複数種類のディスクの記録再生に対応できることが望ましい。これに関連する技術として、一つのピックアップをＭＤディスクとＣＤディスクとの間で反転させて、ＭＤディスク及びＣＤディスク双方の再生を可能にした技術が提案されている（例えば特許文献１参照）。また、一つのピックアップを１枚のディスクの上下で反転させて、ディスク表裏両面の再生を可能にした技術も提案されている（例えば特許文献２参照）。
【０００５】
【特許文献１】
特開平１０−２２２９６２号公報
【０００６】
【特許文献２】
特開平５−９４６２６号公報
【０００７】
【発明が解決しようとする課題】
しかしながら、前記文献１に記載の技術は、２枚のディスクを夫々別のターンテーブルに載置し、ピックアップを２枚のディスク間の空間で反転して再生する構成である。また、前記文献２に記載の技術は、ピックアップ移動のガイド軸から一旦ピックアップを外した後、ピックアップを上下動しながら当該ピックアップを反転することで、１枚の両面対応ディスクを再生する技術である。すなわち、前記両文献とも複数種類の光源を設けたものではなく、例えば赤色レーザ光源に対応するディスク、青色レーザ光源に対応したディスクの双方の記録再生を可能にするものではなかった。
【０００８】
１台のディスク装置で、記録容量が異なる複数種類のディスクの記録再生を実現させるには、１台のディスク装置内に、例えば赤色レーザ光源、青色レーザ光源の双方を設け、ディスクの記録容量の種類が変わる毎に、対応するレーザ光源を所定位置に配置する切換えが必要となる。
【０００９】
例えば、赤色レーザ光源用のピックアップ、青色レーザ光源用のピックアップを設け、ディスクの記録容量の種類が変わる毎に、これらのピックアップを所定位置に抜き差しするように移動して切換える構成が考えられる。
【００１０】
このような要請に、例えば前記文献１に開示の技術を適用すると、赤色レーザ光源対応のディスクを第１のターンテーブルに載置し、青色レーザ対応のディスクを第２のターンテーブルに載置すると、両ディスク間のピックアップは赤色レーザ光源と青色レーザ光源との２種類を適用すれば反転させる必要もなく対応できるが、記録再生装置の厚みとしては２種類のディスクを載置する分だけ厚くなるという課題がある。
【００１１】
また、例えば前記文献２に開示の技術を適用すると、赤色レーザ光源対応のディスクと青色光源対応のディスクとのターンテーブルに対する載置方向を逆方向にし、しかもピックアップの一方の面に赤色レーザ光源、他方の面に青色レーザ光源を備えると、ピックアップは反転する必要がないがディスクの種類に応じて前述したように載置面方向を異ならせることが必須であり、ディスクに損傷を与える可能性が高くなる。また、赤色レーザ光源対応のディスクと青色レーザ光源対応のディスクとのターンテーブルに対する載置方向を同一にし、ピックアップの一方の面に赤色レーザ光源、他方の面に青色レーザ光源を備え、ピックアップの上下動に応じて当該ピックアップを反転する構成を採用すると、上述のディスクの損傷の可能性は克服できるものの、ピックアップの上下動の距離だけディスクを回転駆動するモータも上下動させることが必須となるため、装置の厚みが大幅に増加する構成となる。また、上記何れの構成を採用しても、ピックアップの上下動に際して一旦ガイドからピックアップを抜き差しすることが必須であるため、機構的な複雑さは拭い去り得ないという課題もある。
【００１２】
すなわち、前記文献１及び２に開示の構成では、ピックアップの移動・切換えスペースの確保のため、装置が大型化し、または機構が複雑化することで、その分コスト高にもなるという問題があった。
【００１３】
本発明は前記のような従来の問題を解決するものであり、レーザ光源の切換え構成を簡素化し、装置の小型化が図れ、簡単な構造でレーザ光源の切換えが図れるディスク装置を提供することを目的とする。
【００１４】
【課題を解決するための手段】
前記目的を達成するために、本発明のディスク装置は、基台上に配置しターンテーブルを回転駆動するディスクモータと、
前記ターンテーブルのディスク載置面に対し略平行に配置した回転軸周りの回転により、複数の対物レンズの光軸のいずれか１つの光軸が前記ターンテーブルの前記ディスク載置面に対し略直交するピックアップと、
前記基台に設けられ、前記ピックアップを前記回転軸周りに回転させ、前記ターンテーブルの前記ディスク載置面と、前記複数の対物レンズのいずれか１つとが対向する位置に切り換える切換手段を備えたことを特徴とする。
【００１５】
【発明の実施の形態】
本発明は、ピックアップを回転軸周りに回転させ、ターンテーブルのディスク載置面と、複数の対物レンズのいずれか１つとが対向する位置に切り換える切換手段を備えているので、ディスクの記録容量の種類が変わる毎に、ピックアップを抜き差しして切り換える必要はなく、簡単な構造でレーザ光源の切換えができる。
【００１６】
前記本発明のディスク装置においては、前記切換手段は、前記回転軸に設けた第１のギヤと、前記基台に設けた第２のギヤとを備え、
前記ピックアップと前記ターンテーブルとの間の相対位置を変化する移動手段による前記ピックアップの移動に連動して、前記第１のギヤと前記第２のギヤとがかみ合い、前記回転軸周りに前記ピックアップが回転することが好ましい。前記のようなディスク装置によれば、第１のギヤと第２のギヤとがかみ合う位置でピックアップを回転動作させることができ、第１のギヤと第２のギヤとがかみ合わない位置では、ピックアップの回転動作を停止させることができる。
【００１７】
また、前記移動手段は、前記基台上に固定した案内軸を含み、
前記回転軸の延出方向の前記ピックアップの側面に突出して備える突出部が、前記案内軸に当接して、前記ピックアップの回転が規制されることが好ましい。前記のようなディスク装置によれば、突出部が直接案内軸に当接してピックアップの回転軸周りの回転角度が規制されるので、ピックアップのディスクに対向する対物レンズの光軸と当該ディスクとの直交関係の調整精度を向上できる。
【００１８】
また、前記ピックアップの回転動作停止時に、前記回転軸の延出方向の前記ピックアップ側面に突出して備える第２の突出部が、前記案内軸のうち前記ピックアップと対向する部分に当接することが好ましい。前記のようなディスク装置によれば、第２の突出部が直接案内軸に当接してピックアップの回転軸方向における位置が規制されるので、ディスクに対するピックアップの回転軸の軸方向の精度を向上できる。
【００１９】
また、前記複数の対物レンズのうち、いずれかの対物レンズが前記ターンテーブルに載置したディスクと対向しているときにおいて、前記移動手段による前記ピックアップ移動方向のいずれか一方の側面に、前記ターンテーブルの前記ディスク載置面に対し略平行に帯状の配線コードが接続されていることが好ましい。前記のようなディスク装置によれば、ピックアップの回転動作に対しても配線コードが捩れることが無く、ピックアップの回転動作に支障を与えない構成とすることができる。なお、ターンテーブルのディスク載置面に略直交する方向におけるピックアップの略中央部に、配線コードトピックアップとの接続部を設けると、ピックアップの反転前後において、配線コードがピックアップの略中央部に接続されていることには変わりなく、反転前後における配線コードの撓みに起因する湾曲部の大きさを最小にすることができ、装置の小型・薄型化に有利となる。
【００２０】
また、前記切り換えの際の前記ピックアップの回転始動方向は、前記ピックアップと前記帯状の配線コードとの接続部が、前記ターンテーブルのディスク載置面から遠ざかる方向であることが好ましい。前記のようなディスク装置によれば、ピックアップがディスクに対し接触（当接）を防止する方向に回転することになるために、ピックアップをディスクに近接しながら当該ピックアップの回転動作を行えると共に、ディスクの載置面の高さを特別高くする必要ななく、またピックアップの移動距離も短くて足りるので、装置の小型・薄型化及び高速アクセスに有利になる。
【００２１】
また、前記ピックアップが前記移動手段で前記ディスクモータ側に移動する際に前記回転軸周りに前記ピックアップが回転する状態において、前記ピックアップの側面のうち、前記回転軸に関して前記ディスクモータと反対側の側面に、前記帯状の配線コードが接続されていることが好ましい。前記のようなディスク装置によれば、ピックアップの回転動作後に対物レンズとディスクとの間に、配線コードが介在することを抑制できる。
【００２２】
また、前記基台のうち、前記案内軸の軸方向において、前記ピックアップに対して前記ディスクモータの側、及び前記ディスクモータと反対の側の少なくともいずれかの側に、前記帯状の配線コードを収納する収納部を備えたことが好ましい。前記のようなディスク装置によれば、帯状の配線コードの湾曲部が、例えばディスク装置の筐体と基台との間隙に強制的に入り込むことで、ピックアップの回転や移動に際して不要な抵抗力が発生し動作を不安定にする可能性、及び／又は当該抵抗力に起因し帯状の配線コードの被覆が削り取られディスク装置の周辺回路と電気的短絡を発生させる可能性を抑制できる。また、当該抵抗力はディスク装置の筐体と基台との間隙を広くすることで回避できるが、その分だけディスク装置の厚みが増し大型化を招くことも解消、すなわちディスク装置の薄型化にも寄与する。
【００２３】
以下、図面を参照しながら、本発明の一実施形態について説明する。
【００２４】
（実施の形態１）
本発明の基本構成を実施形態１として説明する。図１は、本発明の一実施形態に係るディスク装置の主要部の斜視図を示している。基台であるベース１上には、ディスクモータ２、ピックアップ３が取り付けられている。ディスクモータ２は、平面状の搭載面が形成されたターンテーブル２ａを有しており、ターンテーブル２ａに搭載されたディスク４は、ディスクモータ２の回転により回転する。
【００２５】
ここで、図２を参照しながら、ディスク装置の基本動作を説明する。図２（ａ）はイジェクト時の概略図、図２（ｂ）は記録・再生（以下「録再」という。）時の概略図を示している。図２（ａ）のイジェクト時においては、ベース１は、ディスクモータ２が、ディスクの搬送経路から離間する方向に回動している。この状態で録再するディスク４ａがトレイ（図示せず）に載置された状態で、筐体６の内部に向かって（矢印ａ方向）搬送される。
【００２６】
図２（ｂ）に示した録再時においては、ベース１はディスク４ａ側に回動しており、ディスク４ａはディスクモータ２のターンテーブル２ａ上に載置されている。また、ディスク４ａの裏面とピックアップ３の対物レンズ５ａとが対向している。この状態で、ディスク４ａはディスクモータ２により、回転しながら、対物レンズ５ａからの出射光を受けて、録再されることになる。
【００２７】
図２（ｂ）では、ディスク４ａの裏面と対物レンズ５ａとが対向している例で説明したが、本実施形態に係るディスク装置は、ピックアップ３を回転させることにより、対物レンズ５ａと異なる対物レンズ５ｂを、別のディスク４ｂと対向させて、ディスク４ｂを録再することができる。本実施形態によれば、ピックアップ３に波長の異なる２種類の光源を内蔵しておけば、これら２種類の光源に対応した異なる記録容量のディスクを録再することができる。
【００２８】
このため、本実施形態に係るディスク装置は、ピックアップ３を回転させて、録再対象のディスクに対応した対物レンズがディスクに対向するように、ピックアップ３の状態を切り換える切換手段を備えている。
【００２９】
なお、例えばディスク４ａと４ｂとの基板の厚みが異なり、異なる波長のレーザ光源で録再する必要がない場合は、単一レーザ光源で対物レンズ５ａ，５ｂのみ異なる構成も可能である。
【００３０】
次に、ピックアップ３について、具体的に説明する。図１に示したように、ベース１と一体の支持台７に案内軸であるガイド軸８が固定されている。このガイド軸８は、ピックアップ３の側面を囲むように形成された略コの字状の移送台９に設けた孔１０を挿通している。このことにより、移送台９は、ピックアップ３の両側面に対応するように配置された一対のガイド軸８に支持されている。
【００３１】
ピックアップ３は、側面から延出した回転軸１１、及び回転軸１１の延出方向に突出した突出部であるボス１２を設けている。また、回転軸１１はガイド軸８と直交する状態で、すなわちターンテーブル２ａと略平行な状態で、ガイド軸８上に載置されている。
【００３２】
なお、ピックアップ３の回転軸１１周りの回転を確実に規制するために、例えば図１及び図３（ａ）に示したように、ピックアップ３は、回転軸１１及びボス１２が２点でガイド軸８に当接することで、ガイド軸８を介してベース１上に支持されている。
【００３３】
次に、ピックアップ３の移動について説明する。本実施形態に係る装置は、図１に示したように、切換手段を構成する第１のギヤである円形状のギヤ１５、及び第２のギヤであるラックギヤ１４を備えている。円形状のギヤ１５は、回転軸１１と嵌合しており、ラックギヤ１４はベース１と一体の略Ｌ字状の固定台１３に形成されており、円形状のギヤ１５とラックギヤ１４とがかみ合っている。
【００３４】
また、ベース１上には、スクリュー１６を備えた移送モータ１７が設けられており、さらに移送台９には、スクリュー１６に係合するように突出したボス１８が設けられており、ボス１８の先端部にはスクリュー１６の回転に連動するギヤ１９が形成され、ガイド軸８も含め、これらが移動手段を構成している。移動手段により、以下に具体的に説明するように、ピックアップ３とターンテーブル２ａとの間の相対位置を変化させることができる。
【００３５】
スクリュー１６には螺旋状にギヤが形成されており、ボス１８のギヤ１９とかみ合っている。移送モータ１７の正転及び逆転を切り換えることにより、ボス１８と一体となった移送台９を、ディスクモータ２に近づける方向（矢印ｂ方向）への移送と、ディスクモータ２から遠ざかる方向（矢印ｃ方向）への移送とを切り換えることができる。
【００３６】
移送モータ１７の正転により、移送台９を矢印ｂ方向に移送させた場合、これに伴って回転軸１１を介して移送台９に支持されているピックアップ３も矢印ｂ方向に移動する。この際、回転軸１１に嵌合している円形状のギヤ１５は、固定台１３のラックギヤ１４とかみ合いながら回転するので、回転軸１１と一体のピックアップ３は、矢印ｂ方向に進行しつつ、矢印ｄ方向に回転する。
【００３７】
移送モータ１７の逆転により、移送台９を矢印ｃ方向に移送させた場合は、ギヤ１５の回転方向が逆になるので、ピックアップ３は、矢印ｃ方向に進行しつつ、矢印ｅ方向に回転する。
【００３８】
本実施形態は、前述のようなピックアップ３の回転によって、ピックアップ３に備えた対物レンズ５ａと対物レンズ５ｂとを使い分けることができる。このピックアップ３の動作について、図４〜８を参照しながらより具体的に説明する。図４は、ピックアップ３が回転軸１１周りに回転する前の状態（以下、「ディスクの最外周近傍」という。）にあるときの側面図を示している。本図の状態は、ディスク４ｂに対応する対物レンズ５ｂがピックアップ３の裏面にある場合の例である。
【００３９】
円形状のギヤ１５は、回転軸１１の軸方向に移動可能であり、回転軸１１上のギヤ１５の位置を切り換えることにより、円形状のギヤ１５がラックギヤ１４とかみ合う位置と、かみ合わない位置とに切り換えが可能である。本図の場合、円形状のギヤ１５は、ラックギヤ１４とかみ合うように、回転軸１１上の軸方向の位置が設定されている。
【００４０】
図５〜８は、移送台９の移動開始からピックアップ３の回転完了までの状態を示した側面図である。図５に示したように、移送モータ１７の正転により、移送台９が矢印ｂ方向に移動し、これに伴って、円形状のギヤ１５は、ラックギヤ１４とかみ合いながら回転するので、ピックアップ３は、矢印ｂ方向に進行しつつ、矢印ｄ方向に回転する。すなわち、後述の湾曲自在な帯状のフレキシブルコード２０とピックアップ３との接続部が、ターンテーブル２ａのディスク４ｂ載置面から離隔する方向に回転を開始する。本図の状態では、ピックアップ３はスクリュー１６の回転軸１６ａに対して、矢印ｄ方向に角度θだけ回転している。これに伴って、ディスク４ｂ側の対物レンズ５ａは、ディスク４ｂから遠ざかる方向に回転移動している。図６はさらにピックアップ３の回転が進行した状態であり、角度θは約９０度である。図７の状態では、ピックアップ３はディスク４ｂの下方にまで移動しており、対物レンズ５ｂがディスク４ｂに近接しつつある状態である。
【００４１】
図８は、ピックアップ３の回転完了の状態を示している。この状態では、円形状のギヤ１５は、ラックギヤ１４から外れており、ピックアップ３の回転が完了しており、ピックアップ３はスクリュー１６の回転軸１６ａに対して矢印ｄ方向に１８０度回転したことになる。
【００４２】
本実施形態では、図５に示したように、回転始動時におけるピックアップ３の回転始動方向は、ピックアップ３とコード２０との接続部が、ターンテーブル２ａのディスク載置面から遠ざかる方向であり、この回転を続行することにより、図７に示したように、もう一方の対物レンズ５ｂは、ディスク４ｂの下方からディスク４ｂに接近するように移動する。
【００４３】
このため、図４の状態において、ピックアップ３のディスクモータ２側の端面が、ディスク４ｂの最外周近傍にある状態からピックアップ３を回転させても、図５〜８に示したように、ピックアップ３がディスク４ｂに当接することなく、ピックアップ３の回転を完了させることができる。すなわち、本実施形態によれば、ピックアップ３とディスク４ｂとの当接回避のために、ディスク４ｂの載置面のディスクモータ２の軸方向の高さを特別高くする必要はなく、またピックアップ３の移動距離も短くて足りるので、薄型・小型化及び高速アクセスに有利になる。
【００４４】
このことをより具体的に説明するために、図４のように、ピックアップ３のディスクモータ２側の端面が、ディスク４ｂの最外周近傍にある状態において、ピックアップ３の回転が逆、すなわち回転始動時においてピックアップ３とコード２０との接続部が、ターンテーブル２ａのディスク載置面に近づく方向にピックアップ３を回転させた場合の動作を説明する。
【００４５】
この場合は、ピックアップ３がディスク４ｂに当接することなく、図６に示したような回転角度９０度まで回転したとしても、さらに回転を続行すると、ピックアップ３はディスク４ｂに当接してしまう。ディスク４ｂの載置面が十分高い位置にあれば当接は防止できるが、不要空間が増え薄型化に不利になる。また、図４の状態において、ピックアップ３のディスクモータ２側の端面が、ディスク４ｂの外周近傍ではなく、十分離れた位置にあれば、ピックアップ３がディスク４ｂに当接する前に回転を完了するので、当接の問題はないが、ピックアップ３の移動距離を長くする必要があり、この場合は小型化に不利になる。
【００４６】
図８の状態では、ディスク４ｂの裏面に対物レンズ５ｂが対向しており、この状態で、ディスク４ｂの録再が可能になる。この状態では円形状のギヤ１５は、ラックギヤ１４から外れているが、移送モータ１７に接続されたスクリュー１６と、ボス１８のギヤ１９とはかみ合っているので、録再時には移送モータ１７の正転により、ピックアップ３は回転することなく、ディスクモータ２側に進行することになる。
【００４７】
ディスク４の録再を終え、新たなディスクがセットされた場合、このディスクが対物レンズ５ｂに対応したディスク４ｂであれば、ピックアップ３は図８の状態を保てばよい。新たなディスクが、図８の状態において、ピックアップ３の裏面にある対物レンズ５ａに対応したディスク４ａであれば、移送モータ１７の逆転により、ピックアップ３をディスクモータ２と反対側に進めつつ、矢印ｄ（図５）の反対方向に回転させて、ピックアップ３を再び１８０度回転させればよい。
【００４８】
対物レンズ５ａに対応したディスク４ａを録再する場合、ピックアップ３がディスクモータ２に再び接近する際には、すでにピックアップ３の回転は完了し対物レンズ５ａがディスク４ａに対向しているので、ピックアップ３は回転させずピックアップ３をディスクモータ２側に移動させることになる。ピックアップ３を回転させずピックアップ３をディスクモータ２側に移動する場合、例えば円形状のギヤ１５とラックギヤ１４とがかみ合わない位置に、円形状のギヤ１５を回転軸１１上で軸方向に切り換えることにより達成できる。
【００４９】
なお、本実施形態に係るピックアップは、１台のピックアップに２つの対物レンズを備えているので、ピックアップの体積が増すことになるが、その分だけ熱容量も増えるので、放熱に有利となる。
【００５０】
（実施の形態２）
次に、本発明のピックアップ３の回転精度を確保する構成を、実施形態２として説明する。図３（ａ）は、ピックアップ３がディスク４の最外周部近傍の回転始動状態にあるときの側面図を示している。ピックアップ３は、回転軸１１及びボス１２の２点がガイド軸８に当接することで支持されている。すなわちこの状態では、回転軸１１とボス１２との２箇所がガイド軸８に当接しているので、ピックアップ３はボス１２がガイド軸８と当接する以上に回転することはなく、安定した位置規制がされていることになる。
【００５１】
ここで、ガイド軸８は、図１に示したように、支持台７を介してベース１と一体に固定されており、さらにガイド軸８は、例えば断面円形の単品材料であるので、ベース１からガイド軸８の上端までの高さｈ１の精度を確保することは容易である。
【００５２】
また、ピックアップ３本体に回転軸１１を取り付ける穴の位置精度の確保は容易であり、ピックアップ３の穴と回転軸１１との嵌め合い精度の確保も容易である。このため、対物レンズ５ａの設置面から回転軸１１の下端までの距離ｈ２を確保することも容易である。また、対物レンズ５ｂの設定面から回転軸１１の上端までの距離ｈ３についても同様である。
【００５３】
高さｈ１及び高さｈ２の精度が確保できていれば、回転軸１１とボス１２とは介在物を介することなくガイド軸８に当接しているので、ピックアップ３のガイド軸８の軸方向の位置に関係なく、ベース１の基準面から対物レンズ５ａの設置面までの高さｈの精度も確保できることになる。すなわち、ピックアップ３がディスクの録再時の位置にあっても、高さｈの精度は確保され、録再の精度も確保されることになる。
【００５４】
次に、裏面側の対物レンズ５ｂを用いる場合には、図３（ｂ）の状態を経て、図３（ｃ）のように、図３（ａ）の状態に対して、ピックアップ３を１８０度回転させることになる。この場合も、回動軸１１とボス１２とは介在物を介することなくガイド軸８に当接している。また、前記のように、高さｈ１、及び高さｈ３の精度も確保されているので、ベース１の基準面から対物レンズ５ｂの基準面までの高さｈ’の精度も確保できる。このことにより、対物レンズ５ｂを録再に用いる場合であっても、対物レンズ５ｂの設置面の高さの精度が確保され、録再の精度も確保されることになる。
【００５５】
また、ピックアップ３には、回転軸１１の延出方向に突出した突出部であるボス１２ａが形成されている。ピックアップ３の回転停止状態において、ボス１２ａは、ガイド軸８のうちピックアップ３と対向する部分に当接している。このことにより、回転軸１１の軸方向におけるピックアップ３の位置の精度も確保することができ、ディスク４の情報トラックのタンジェンシャル方向に対する位置精度も確保できる。ボス１２ａとガイド軸８との当接を確実にするために、例えば図１の構成において、移送モータ１７が配置されていない側のガイド軸８に対応した回転軸１１にスプリングまたは板ばね等の付勢手段を介在させてピックアップ３に付勢力を付与してもよい。
【００５６】
（実施の形態３）
次に、本発明の配線の構成を実施形態３として説明する。図９は、ディスク装置の主要部の裏面を示している。本図は、図１に示したディスク装置のピックアップ３を回転軸１１周りに１８０度回転した後の状態に相当する。
【００５７】
図９に示したように、ピックアップ３と制御部、電源部等（図示せず）との電気接続に、複数本の配線をシート状に束ね湾曲自在な帯状のフレキシブルコード（以下、「コード」という。）２０を用いている。
【００５８】
図１０（ａ）は、ピックアップ３の対物レンズ５ａが、ベース１の最外周部近傍の回転始動状態にあるときの側面図を示しており、ディスク４の外周側の部分は断面状態で示している。図１０（ｂ）は、ピックアップ３の対物レンズ５ｂが、録再位置にあるときの側面図を示しており、ディスク４側の部分は断面状態で示している。
【００５９】
図１０（ａ）に示した状態は、図４の状態に相当し、ピックアップ３を回転駆動させる前の状態を示している。この状態においてコード２０の一端は、回転軸１１に関してディスクモータ２と反対側の側面に接続され、しかもピックアップ３の回転始動方向はコード２０とピックアップ３との接続部がターンテーブル２ａのディスク載置面から遠ざかる方向としている。この構成を採用することにより、ピックアップ３が回転軸１１周りに回転する際に、コード２０が対物レンズ５ａ及び５ｂとディスク４との間に介在し、対物レンズ５ａ及び５ｂを塞ぐことを抑制できる。また、ピックアップ３の回転駆動前におけるコード２０は、２つの湾曲部により、蛇行形状を形成し折り畳まれている。
【００６０】
コード２０の蛇行形状部全体は、ベース１のピックアップ等を配置した反対面（以下、「裏面」という。）に備える凹み状の収納部１ａに、ベース１と当接することなく収納されている。
【００６１】
なお、ターンテーブル２ａのディスク載置面に対して略垂直な方向（以下、「高さ方向」という。）におけるピックアップ３の略中央部に、コード２０とピックアップ３とが接続されているので、コード２０を収納するための収納部１ａの高さは、ピックアップ３の最上面より低くてもよく、このため、特別スペースを拡張することなく突出部１ａを形成でき、ディスク装置の薄型化が図れる。
【００６２】
また、コード２０は対物レンズ５ａ、５ｂのいずれかが、ターンテーブル２ａに載置したディスクと対向しているときにおいて、移動手段によるピックアップ３の移動方向のいずれか一方の側面に、ターンテーブル２ａのディスク載置面に対し略平行に接続されているので、ピックアップ３の回転動作に対してもコード２０が捩れることが無く、ピックアップ３の回転動作に支障を与えることがない。
【００６３】
図１０（ｂ）は、図１０（ａ）に示した状態から、図４〜８のようにピックアップ３を１８０度回転駆動させ、図８の状態からさらにディスク４の内周までピックアップ３が移動した状態を示している。本図の状態では、ピックアップ３が１８０度回転したことにより、コード２０の形状は蛇行形状の折り畳みが伸びることで略円弧形状に変化している。
【００６４】
略円弧形状部は、ベース１の裏面に備えた収納部１ｂに、ベース１に当接することなく、収納されている。またコード２０は、ピックアップ３の高さ方向の略中央部に接続されているので、コード２０の略円弧形状部を収納するための収納部１ｂの高さは、ピックアップ３の最上面より低くてもよい。すなわち、収納部１ｂの高さは、ディスク４面の高さより十分低くてもよく、特別スペースを拡張することなく、収納部１ｂを形成でき、ディスク装置の薄型化が図れる。
【００６５】
なお、収納部１ａ及び１ｂの案内軸８に対して略直交方向の幅は、コード２０の幅に応じて適宜決定することができ、収納部１ａ及び１ｂの案内軸８に対して略直交する幅方向における設置場所は、ピックアップ３に対するコード２０の幅方向の接続位置に応じて適宜決定できる。
【００６６】
（実施の形態４）
図１１は、実施形態４に係るディスク装置の要部側面図を示している。本図は、図１のＡ矢視図に相当する。本図の構成が、図１の構成と異なっているのは、プレート２１を備え、当該プレート２１はピックアップ３が録再状態の位置にあるときピックアップ３を上面から当接している点である。
【００６７】
録再時においてはピックアップ３は、回転することなく、ディスクモータ２側に移動する。前記のように、回転軸１１及びボス１２を介してガイド軸８上に支持されたピックアップ３は高さ方向の精度が確保されている。
【００６８】
しかしながら、図１の構成では、ボス１２がガイド軸８から離間する方向の位置規制手段は特に設けていないので、外部振動等外乱が伝わるとピックアップ３は位置精度が保たれない場合も起こり得る。本実施形態では、位置規制手段であるプレート２１を設けており、プレート２１の一端はベース１に固定され、多端はピックアップ３の上面に当接している。このことにより、録再時におけるピックアップ３の高さ方向の位置変動を防止している。なお、図１１ではプレート２１とピックアップ３の上面とが面状に接触した構成を図示しているが、プレート２１とピックアップ３との係合はピックアップ３が録再状態の間だけ当接し外乱に対する耐性を果たす機能を持てば良く、例えばピックアップ３に対して突状または回転ローラ等とすることで、ピックアップ３の移動に際しての摩擦力を低減できる。
【００６９】
なお、上述の実施形態は何れも対物レンズが２種類のみで、互いに１８０度背面状態に配置した例で説明したが、本発明はディスクに対応した対物レンズを回転軸周りに回転するピックアップを備えることを本質としているため、回転軸中心から放射状に光軸を有する対物レンズを３つ以上備えても良いこと勿論であり、対物レンズに応じたレーザ光源を備えてもよいこと当然である。
【００７０】
【発明の効果】
以上のように、本発明によれば、ピックアップを回転軸周りに回転させ、ターンテーブルのディスク載置面と、複数の対物レンズのいずれか１つとが対向する位置に切り換える切換手段を備えているので、ディスクの記録容量の種類が変わる毎に、ピックアップを抜き差しして切り換える必要はなく、簡単な構造でレーザ光源の切換えができる。
【図面の簡単な説明】
【図１】本発明の一実施形態に係るディスク装置の主要部の斜視図
【図２】（ａ）本発明の一実施形態に係るディスク装置のイジェクト時の概略図
（ｂ）本発明の一実施形態に係るディスク装置の録再時の概略図
【図３】（ａ）本発明の一実施形態に係るピックアップが回転始動状態にあるときの側面図
（ｂ）本発明の一実施形態に係るピックアップが回転動作中における側面図
（ｃ）本発明の一実施形態に係るピックアップが回転完了状態における側面図
【図４】本発明の一実施形態に係るピックアップが回転動作前にあるときの側面図
【図５】本発明の一実施形態に係るピックアップの回転状態における側面図
【図６】本発明の一実施形態に係るピックアップが約９０度回転した状態における側面図
【図７】本発明の一実施形態に係るピックアップがディスク下方まで移動した状態における側面図
【図８】本発明の一実施形態に係るピックアップの回転完了状態における側面図
【図９】本発明の一実施形態に係るディスク装置の主要部の裏面図
【図１０】（ａ）本発明の一実施形態に係るピックアップが回転始動状態にあるときの側面図
（ｂ）本発明の一実施形態に係るピックアップが録再位置にあるときの側面図
【図１１】本発明の一実施形態に係るディスク装置の要部側面図
【符号の説明】
１　ベース
２　ディスクモータ
３　ピックアップ
４　ディスク
５ａ　第１の対物レンズ
５ｂ　第２の対物レンズ
８　案内軸
１１　回転軸
１２、１８　ボス
１４　ラックギヤ
１５　円形状のギヤ
１６　スクリュー
１７　移送モータ
１９　ギヤ
２０　コード
２１　プレート
【図１】
2004133971.tif 000003
【図２】
2004133971.tif 000004
【図３】
2004133971.tif 000005
【図４】
2004133971.tif 000006
【図５】
2004133971.tif 000007
【図６】
2004133971.tif 000008
【図７】
2004133971.tif 000009
【図８】
2004133971.tif 000010
【図９】
2004133971.tif 000011
【図１０】
2004133971.tif 000012
【図１１】
2004133971.tif 000013